(57)【要約】【課題】撮影画像を撮影場所に相応しく演出して表示する。【解決手段】メモリカードを制御装置のカードスロットに差し込むと、メモリカードから画像ファイルが読み込まれ、タグ領域から位置情報が読み出される。位置情報に基づいてＨＤＤ内に国や州毎にディレクトリが作成され、その下に画像ファイルが書き込まれる。音楽取込みの指示を行うと、位置情報に基づいて通信ネットワークが検索され、ヒットしたWebサイトから楽曲名がハイビジョンテレビに表示される。更に日時情報に基づいて季節に相応しい楽曲名が表示される。ユーザが所望の楽曲を選ぶと、音楽データがWebサイトからダウンロードされ、関連音楽ファイルに書き込まれる。撮影画像を選択してから、音楽付きスライドショーの実行をリモコンで指示する。ハイビジョンテレビの画面に撮影画像が５秒間隔で順次に表示されると同時にステレオスピーカから音楽が流れる。【選択図】        図４
2006005788.tif 000002
【特許請求の範囲】
【請求項１】
位置情報を有する画像データを再生して画像を表示装置に表示する画像表示方法において、
前記位置情報に関連する画像又は音楽を外部から通信手段によって入手し、前記位置情報を有する画像と位置情報に関連する画像とを重畳又は並べて表示装置に表示する、又は、前記位置情報を有する画像を表示装置に表示しながら位置情報に関連する音楽を再生することを特徴とする画像表示方法。
【請求項２】
前記画像データは、前記位置情報を有する画像を撮影した日時を示す日時情報も有し、この日時情報に関連する画像又は音楽を外部から通信手段によって入手し、前記位置情報を有する画像と位置情報及び日時情報に関連する画像とを重畳又は並べて表示装置に表示する、又は、前記位置情報を有する画像を表示装置に表示しながら位置情報及び日時情報に関連する音楽を再生することを特徴とする請求項１記載の画像表示方法。
【請求項３】
位置情報を有する画像データを再生して画像を表示装置に表示する画像表示システムにおいて、
前記位置情報に関連する画像又は音楽を外部から入手する通信装置と、
前記位置情報を有する画像と位置情報に関連する画像とを重畳又は並べて表示装置に表示する画像処理装置と、
前記位置情報を有する画像画像を表示装置に表示しながら位置情報に関連する音楽を再生する音楽再生装置と、
から構成したことを特徴とする画像表示システム。
【請求項４】
前記画像データは、前記位置情報を有する画像を撮影した日時を示す日時情報も有し、この日時情報に関連する画像又は音楽を外部から通信手段によって入手し、
前記画像処理装置は、前記位置情報を有する画像と位置情報及び日時情報に関連する画像とを重畳又は並べて表示装置に表示し、
前記音楽再生装置は、前記位置情報及び日時情報に関連する音楽を再生することを特徴とする請求項３記載の画像表示システム。
【請求項５】
前記画像処理装置には、画像を撮影するとともに画像の位置情報を画像データと一緒に記憶手段に記憶する撮影装置が電気的に又は無線で接続され、リモコンの操作により撮影装置から画像処理装置への画像データの転送が行われた後、前記画像データが位置情報に基づいて分類整理され、前記画像処理装置に設けられた記憶装置に記憶されることを特徴とする請求項３または４記載の画像表示システム。
【発明の詳細な説明】
【技術分野】
【０００１】
本発明は、画像表示方法及び画像表示システムに関し、更に詳しくは位置情報を持つ画像データを再生して撮影画像を表示する画像表示方法及び画像表示システムに関するものである。
【背景技術】
【０００２】
ＧＰＳ（Global Positioning System）は多数の移動衛星からの電波を受信することによって、地球上の任意の位置で受信点の３次元位置（緯度、経度等）を測定することのできる測位システムである。その他、携帯電話においては、無線の基地局から位置を割り出して、位置情報を得ることもできる。
【０００３】
従来、ＧＰＳ装置をデジタルカメラに接続（内蔵）し、ＧＰＳ装置によって得られる位置情報を撮影画像とともに記録するシステムが提案されている。このようなシステムによれば撮影画像を再生する際に、ＧＰＳ装置によって測位された位置情報を参照して撮影画像を撮影した撮影場所を知ることができ、また逆に撮影場所により所望の撮影画像を検索することができる。
【０００４】
また、ＧＳＰ装置が接続されたデジタルカメラによって記録された撮影画像と、各撮影画像に対応して記録されたＧＳＰ装置からの位置情報を読み取り、地図データを記憶する記録媒体から所望の地図データを読み出し、前記撮影画像の撮影場所を含む電子地図をモニタに表示し、撮影画像とともに読み取った位置情報に基づいて各撮影画像のサムネイルを電子地図上の対応する位置に表示する画像再生方法が知られている（例えば特許文献１）。
【０００５】
また、デジタルカメラで撮影した画像をテレビ受像装置が備えるハードディスク内の所定のディレクトリに表象画像として書き込み、受信したデータ放送コンテンツに予約された表象画像を参照する指示がある場合には、参照を指示された表象画像をハードディスク内のディレクトリから読み出し、データ放送で受信したコンテンツに予め用意された静止画像と差し替えて画面表示する放送受信装置が知られている（例えば特許文献２）。
【０００６】
【特許文献１】特開平１０−２３３９８５号公報
【特許文献２】特開２００２−３３５４９９号公報
【発明の開示】
【発明が解決しようとする課題】
【０００７】
上記特許文献１記載の発明では、撮影場所が地図上で容易に確認できるというメリットはあるが、撮影画像そのものを楽しく鑑賞するということに関して考慮していない。また、上記特許文献２記載の発明では、ＢＳデジタル放送等で送られてくるデータ放送のコンテンツに含まれる静止画像部分を視聴者の嗜好に合わせてカスタマイズできるという面白さはあるが、あくまで主体はコンテンツであり、ユーザの静止画像に相応しいコンテンツであるとは限らない。
【０００８】
本発明は、撮影画像をその撮影場所に相応しく演出して楽しく鑑賞できる画像表示方法及び画像表示システムを提供することを目的とする。
【課題を解決するための手段】
【０００９】
本発明の画像表示方法は、位置情報を有する画像データを再生して画像を表示装置に表示する画像表示方法において、前記位置情報に関連する画像又は音楽を外部から通信手段によって入手し、前記位置情報を有する画像と位置情報に関連する画像とを重畳又は並べて表示装置に表示する、又は、前記位置情報を有する画像を表示装置に表示しながら位置情報に関連する音楽を再生することを特徴とする。
【００１０】
また、前記画像データは、前記位置情報を有する画像を撮影した日時を示す日時情報も有し、この日時情報に関連する画像又は音楽を外部から通信手段によって入手し、前記位置情報を有する画像と位置情報及び日時情報に関連する画像とを重畳又は並べて表示装置に表示する、又は、前記位置情報を有する画像を表示装置に表示しながら位置情報及び日時情報に関連する音楽を再生することを特徴とする。
【００１１】
本発明の画像表示システムは、位置情報を有する画像データを再生して画像を表示装置に表示する画像表示システムにおいて、前記位置情報に関連する画像又は音楽を外部から入手する通信装置と、前記位置情報を有する画像と位置情報に関連する画像とを重畳又は並べて表示装置に表示する画像処理装置と、前記位置情報を有する画像画像を表示装置に表示しながら位置情報に関連する音楽を再生する音楽再生装置とから構成したことを特徴とする。
【００１２】
また、前記画像データは、前記位置情報を有する画像を撮影した日時を示す日時情報も有し、この日時情報に関連する画像又は音楽を外部から通信手段によって入手し、前記画像処理装置は、前記位置情報を有する画像と位置情報及び日時情報に関連する画像とを重畳又は並べて表示装置に表示し、前記音楽再生装置は、前記位置情報及び日時情報に関連する音楽を再生することを特徴とする。
【００１３】
また、前記画像処理装置には、画像を撮影するとともに画像の位置情報を画像データと一緒に記憶手段に記憶する撮影装置が電気的に又は無線で接続され、リモコンの操作により撮影装置から画像処理装置への画像データの転送が行われた後、前記画像データが位置情報に基づいて分類整理され、前記画像処理装置に設けられた記憶装置に記憶されることを特徴とする。
【発明の効果】
【００１４】
本発明によれば、位置情報に関連する画像や音楽を外部から取り込み、この取り込んだ画像に撮影画像を重畳して表示したり、取り込んだ音楽を流すようにするので、撮影画像をその撮影場所に相応しく演出して楽しく鑑賞できる。また、場所だけでなく撮影した日時（季節）にも相応しい画像や音楽を一緒に流すことにより、撮影画像をより印象深く鑑賞できる。また、リモコン操作により撮影装置から画像処理装置に画像データを転送し、位置情報に基づいて自動的に分類整理するから、上記のような画像の鑑賞をきわめて簡単に行うことができる。
【発明を実施するための最良の形態】
【００１５】
本発明の第１実施形態を示す図１において、画像表示システム１０は、周知のハイビジョンテレビ１２と、これに接続された画像処理部としてのホームサーバ１６と、これをインターネット等の通信ネットワーク１８に接続する通信装置としてのブロードバンドモデム２０とからなる。
【００１６】
なお、ハイビジョンテレビは、走査線は現行のNTSC（通常のテレビ放送）の525本の倍以上の1125本、水平方向画素数がNTSCの720画素から1,920画素へ、画面のアスペクト比（縦横の比率）は従来方式の3対4から9対16へとワイドになり、臨場感が増している。音声は2/4チャンネルのPCMとなり、信号帯域は現行の4.2MHzから20MHzとなっている。
【００１７】
前記ホームサーバ１６は、撮影装置としてのデジタルカメラ１４で撮影されたメモリカード２２を着脱自在に装着するカードスロット２４、システムバス２６を介して装置全体を制御するＣＰＵ２８，制御用のプログラムをはじめ画像データ等を記憶するハードディスク（ＨＤＤ）３０，ＨＤＤ３０から画像データ等をＤＶＤ−Ｒ等のメディアに記録するマルチドライブ３１，ＣＰＵ２８がワークエリアとして使用するメモリ３２，リモコン３４からの指示を受け付ける赤外線センサ３６，前記ブロードバンドモデム２０と接続されるＬＡＮカード３８，重畳回路４０，前記ハイビジョンテレビ１２に画像を出力するビデオエンコーダ４２，前記ハイビジョンテレビ１２に音楽を出力するオーディオ再生部４４等からなる。
【００１８】
デジタルカメラ１４は、メモリカード２２を装着して、これに撮影した撮影画像をデジタルの画像データとして記録する。また、デジタルカメラ１４には、ＧＰＳ受信機４６が接続できる。ＧＰＳ受信機４６は、ＧＰＳ（Global Positioning System ）により位置情報を得る装置である。なお、位置情報は、他の装置、例えばカーナビゲーションや携帯電話などからデジタルカメラ１４に入力してもよい。また、携帯電話の無線の基地局から位置情報を得るようにしてもよい。
【００１９】
ＧＰＳとは軌道上に複数個の衛星を周回させ、各衛星より周期的な連続信号と自己の軌道データを送出させるシステムであり、ＧＰＳ受信機４６は同時に４つの衛星からの情報を受信して距離を測定し、４個の方程式を解くことにより受信場所の位置（緯度、経度等）情報を測定する。なお、撮影時の時刻情報は、デジタルカメラ１４の内蔵時計から得ることができる。
【００２０】
メモリカード２２に記録される画像データ４８は、図２に示すように、そのサムネイル（縮小画像）画像データ５０とともに、画像ファイル５２に格納される。そして、画像ファイル５２のタグ領域５４に、ＧＰＳ受信機４６から撮影場所を示す位置情報と、デジタルカメラ１４に内蔵された時計から撮影日時を示す日時情報とが書き込まれる。なお、画像データ４８は、ムービーデータでもよいが、本実施形態では、静止画像データとする。
【００２１】
メモリカード２２をカードスロット２４に差し込むと、各画像ファイル５２が一旦メモリ３２に取り込まれてからＨＤＤ３０に書き込まれる。この書込みに際して、画像ファイル５２に書き込まれている位置情報を基に、図３に示すように、分類される。すなわち、まず国内か否かによって国内旅行か海外旅行かに分けられ、更に国内旅行の場合には県別に、また外国旅行の場合には国や州別（例えばハワイ，オーストラリア，・・・）に分けられる。これらのディレクトリは、ＨＤＤ３０に存在しない場合には、新たに自動作成される。
【００２２】
前記重畳回路４０は、ＣＰＵ２８からの指令があると、前記画像データ４８と、通信ネットワーク１８からブロードバンドモデム２０及びＬＡＮカード３８を介して取り込まれた動画像データとを重畳する。また、ビデオエンコーダ４２は、デジタル信号の画像データをアナログのコンポジット信号（映像信号）に変換してハイビジョンテレビ１２に出力する。
【００２３】
次に、上記実施形態の作用について、図４に示すフローチャートに従って説明する。まず、ＧＰＳ受信機４６を接続したデジタルカメラ１４で撮影した画像データが記憶されたメモリカード２２をホームサーバ１６のカードスロット２４に差し込むと、ＣＰＵ２８は、メモリカード２２から画像ファイル５２を読み込み（ｓｔ１）、そのタグ領域５４から位置情報を読み出す。そして、この位置情報に基づいて、ＨＤＤ３０内に国や州毎にディレクトリを作成し、その下に画像ファイル５２を書き込む（ｓｔ２）。
【００２４】
ユーザが所望の画像を選んで１枚ずつハイビジョンテレビ１２に表示することもできるが、複数枚の画像を予め選んでおき、これらを順次に表示するスライドショーを行うことができる。このスライドショーを行う際には、撮影場所に因んだ音楽を流しながら表示することにより楽しく鑑賞できる。
【００２５】
ユーザがリモコン３４を用いてホームサーバ１６に音楽取込みの指示を行うと、ＣＰＵ２８は、画像ファイル５２の位置情報に基づいて、ＬＡＮカード３８及びブロードバンドモデム２０を介して通信ネットワーク１８を検索する。例えば、撮影場所がハワイであれば、ハワイの観光客向けWebサイト等がヒットし、ハワイに因んだポリネシア系音楽の楽曲名がハイビジョンテレビ１２に表示される。更に、日時情報に基づいて絞り込み検索が行われ、撮影した季節に相応しい楽曲名が表示される。なお、撮影場所がハワイの場合には、雨季と乾季はあるが、「季節」と呼べるほどの季節的変化はないので、本実施形態では撮影場所に相応しい楽曲名だけが表示される。
【００２６】
ユーザは、所望の楽曲（複数でもよい）を選んでリモコン３４の実行キーを押すと、選んだ楽曲の音楽データがブロードバンドモデム２０及びＬＡＮカード３８を介してWebサイトからダウンロードされ（ｓｔ３）、ＨＤＤ３０に書き込まれる。この時、図３に示すように、ハワイのディレクトリ下に関連音楽ファイル５６が自動作成され、この中に音楽データが書き込まれる。また、この時、管理ファイル５８が自動作成され、「ハワイ」ディレクトリ下にある各ファイルを関連付けて管理する管理用データベースが作成される。
【００２７】
ユーザが「ハワイ」ディレクトリを開くと、この中に収納されている画像のサムネイル画像が表示されるから、スライドショーを行いたい撮影画像を選択してから（ｓｔ４）、音楽付きスライドショーの実行をリモコン３４で指示する（ｓｔ５）。前記選択された各画像ファイルの画像データが撮影時間順に、例えば５秒間隔で読み出され、ビデオエンコーダ４２によってコンポジット信号に変換されてハイビジョンテレビ１２に出力される。ハイビジョンテレビ１２の画面１２ａには、図５に示すように、選択された撮影画像６２が５秒間隔で順次に表示される。
【００２８】
スライドショーの実行指示と同時に、「ハワイ」ディレクトリ下にある関連音楽ファイル５６から音楽データが読み出され、オーディオ再生部４４を介してハイビジョンテレビ１２に出力される。これにより、ハイビジョンテレビ１２の画面１２ａにハワイで撮影された撮影画像６２が５秒間隔で順次に表示されると同時に、ハイビジョンテレビ１２の左右両サイドに設けられたステレオスピーカ１２ｂ，１２ｃからハワイのポリネシア系音楽が流れ、臨場感のあるスライドショーが楽しめる。なお、ユーザの前方に３個、後方に２個、低域強調用に１個の合計６個のスピーカを用いて、５．１ｃｈのサラウンド・システムとすると、より臨場感のある音を再生できる。
【００２９】
また、音楽だけではなく撮影場所や撮影日時に関連する動画像を撮影画像の背後に再生しながらスライドショーを行いたい場合には、ユーザはリモコン３４を用いてホームサーバ１６に動画像取込みの指示をする。ＣＰＵ２８は、画像ファイル５２の位置情報を参照し、ＬＡＮカード３８及びブロードバンドモデム２０を介して通信ネットワーク１８からハワイに関連するWebサイトにアクセスし、ハワイに因んだ動画像のリスト名やサンプル画像をハイビジョンテレビ１２に表示する。なお、撮影場所がハワイの場合には、事実上季節がないので、撮影場所（ハワイ）のみに相応しい動画像のリスト名やサンプル画像のみが表示される。
【００３０】
ユーザがハイビジョンテレビ１２に表示された動画像のリスト名やサンプル画像から所望の動画像を選択して実行キーを操作すると、その動画像データがWebサイトからダウンロードされ、「ハワイ」ディレクトリ下の関連動画ファイル６０に格納される。この時、関連動画ファイル６０が予め存在しない場合には、自動的に作成される。
【００３１】
ユーザが「ハワイ」ディレクトリを開き、表示されたサムネイル画像から、スライドショーを行いたい画像を選んでから（ｓｔ４）、音楽及び動画像付きスライドショーの実行をリモコン３４で指示すると（ｓｔ５）、ＣＰＵ２８は管理ファイル５２を参照して「ハワイ」ディレクトリ下にある画像ファイル５２から画像データを、また関連動画ファイル５８からは動画像データをそれぞれ読み出し、重畳回路４０に送る。
【００３２】
重畳回路４０は、画像データと動画像データを重畳した後、この画像データをビデオエンコーダ４２に送る。一方、関連音楽ファイル５６から音楽データが読み出され、オーディオ再生部４４に送られる。
【００３３】
これにより、図６に示すように、ハイビジョンテレビ１２の画面１２ａには、Webサイトからダウンロードされた動画像が再生されると同時に、その中央部に嵌め込まれたように、撮影画像６２が５秒間隔でスライドショー表示される。そして、ステレオスピーカ１２ｂ，１２ｃからハワイのポリネシア系音楽が流れ、臨場感のあるスライドショーが楽しめる。
【００３４】
次に、第２実施形態を示す図７において、画像表示システム７０は、デジタルカメラ７２と、無線通信装置７４付きのホームサーバ７６と、ハイビジョンテレビ１２とからなる。デジタルカメラ７２とホームサーバ７６とは無線通信で接続され、リモコン７８の操作によって画像データをデジタルカメラ７２からホームサーバ７６へ転送する等を行える。なお、上記第１実施形態と同じ部材には、同じ符号を付し、説明を省略する。
【００３５】
リモコン７８は、図８に示すように、液晶パネル８０を備えており、メニューボタン８２を押圧すると、第１メニュー画面８４を表示する（Ａ）。この第１メニュー画面８４には、３つの操作対象である「デジタルカメラ」，「ホームサーバ」，「テレビ」の文字が表示されており、その左方に三角矢印状のカーソル８６が設けられている。このカーソル８６を十字キー８８の上下キーで上下動させ、選択したい文字，例えば「デジタルカメラ」の横に停止させてから、決定キー９０を押圧すると、液晶パネル８０に第２メニュー画面９２が表示される。
【００３６】
第２メニュー画面９２には、「再生」，「スライドショー」，「画像転送」が表示されている。十字キー８８の上下キーでカーソル８６を上下動させ、「再生」の横に停止させてから、決定キー９０を押圧すると、デジタルカメラ７２が再生モードになって、ホームサーバ７６を介して再生画像がハイビジョンテレビ１２に表示される。
【００３７】
また、「スライドショー」を選択すると、一定間隔で再生画像がハイビジョンテレビ１２に表示されるスライドショーが行われる。また、「画像転送」を選択すると、デジタルカメラ７２内に記録された画像データがホームサーバ７６のＨＤＤ３０に転送され、前記第１実施形態と同様に、位置情報に基づいて自動的に振り分けられる（図３参照）。以下、第１実施形態と同様に、リモコン７８でホームサーバ７６を操作し、位置情報と日時情報に基づいて通信ネットワーク１８から関連する画像や音楽をホームサーバ７６のＨＤＤ３０に取り込み、撮影画像をスライドショー表示しながら、位置情報や日時情報に関連する音楽を流したり、位置情報や日時情報に関連する画像と撮影画像とを重畳してハイビジョンテレビ１２の画面１２ａに表示することができる。
【００３８】
なお、デジタルカメラ７２とハイビジョンテレビ１２とは、無線通信の代わりに、クレードル８２とＵＳＢコード、またはＵＳＢコードのみで接続してもよい。また、リモコンによるデジタルカメラの制御は、スライドショーに限らず、画像の再生，コマ送りや電源のオン／オフ等を行うことができる。また、前記リモコンの代わりに携帯電話を用いてデジタルカメラやホームサーバ，ハイビジョンテレビを操作することができる。
【００３９】
以上説明した実施形態では、撮影画像は静止画像（スチル画像）であったが、動画像（ムービー）でもよい。また、両方の画像がある場合には、場所のディレクトリ下に静止画ファイルと動画ファイルとを別々に作成するのがよい。また、上記実施形態では、通信ネットワークから取り込む画像を動画像としたが、静止画像でもよい。
【００４０】
また、上記実施形態では、音楽や動画像を通信ネットワークから一旦ＨＤＤにダウンロードしてから、撮影画像のスライドショーと同時に再生していたが、通信速度が非常に高速（上下最大１００Mbps）な光ファイバー方式等の常時接続を用いれば、リアルタイムで音楽データや動画像データをダウンロードしながら音楽再生，撮影画像と動画像との重畳処理及び画像再生を行うようにしてもよい。なお、通信ネットワークの一例としてインターネットを挙げたが、例えば企業内ネットワーク（イントラネット）等でもよい。
【００４１】
また、上記実施形態では、音楽や動画像をダウンロードする際に、リスト名等を表示させ、それらをユーザが見て、所望のものを選択してからダウンロードするようにしたが、ダウンロードする数を予め指定しておき、音楽や動画像を自動的にダウンロードするようにしてもよい。
【００４２】
また、上記実施形態では、ユーザがスライドショーに用いる撮影画像を選択する際に、撮影場所のディレクトリを開くようにしたが、管理ファイルを用いてスライドショー専用の画像選択画面を表示し、そこから画像を選択するようにしてもよい。また、撮影装置としてデジタルカメラの例を挙げたが、カメラ付きの携帯電話やＰＤＡ等でもよい。
【図面の簡単な説明】
【００４３】
【図１】本発明の第１実施形態である画像表示システムを示すブロック図である。
【図２】画像ファイルの構成を示す説明図である。
【図３】ＨＤＤに書き込まれる画像ファイルのディレクトリ構成を示す説明図である。
【図４】画像表示システムの主なシーケンスを示すフローチャートである。
【図５】音楽を流しながら撮影画像のスライドショーを行っている様子を示すハイビジョンテレビの正面図である。
【図６】音楽を流しながら動画像を背景にして撮影画像のスライドショーを行っている様子を示すハイビジョンテレビの正面図である。
【図７】本発明の第２実施形態である画像表示システムを示すブロック図である。
【図８】第２実施形態に係るリモコンの説明図である。
【符号の説明】
【００４４】
１０，７０  画像表示システム
１２  ハイビジョンテレビ
１４，７２  デジタルカメラ
１６  ホームサーバ
１８  通信ネットワーク
２０  ブロードバンドモデム
２２  メモリカード
２８  ＣＰＵ
３４，７８  リモコン
４０  重畳回路
４６  ＧＰＳ受信機
４８  画像データ
５２  画像ファイル
５４  タグ
５６  関連音楽ファイル
６０  関連動画ファイル
６２  撮影画像
７４  無線通信装置
【図１】
2006005788.tif 000003
【図２】
2006005788.tif 000004
【図３】
2006005788.tif 000005
【図４】
2006005788.tif 000006
【図５】
2006005788.tif 000007
【図６】
2006005788.tif 000008
【図７】
2006005788.tif 000009
【図８】
2006005788.tif 000010